(57)【要約】【課題】複数の制御装置に対する配線接続を効率的に容易化する遊技機を提供する。【解決手段】排出・発射制御装置２６や電源装置２７が背面側に取り付けられる裏機構盤の背面側に延出する軸支部５０により回動支持腕部４１が回動可能に支持される基板ホルダ４０の基板保持面４０ａに装着する共通中継基板３０に第１中継基板接続受部３１と第２中継基板接続受部３２を形成し、基板ホルダ４０を回転させて共通中継基板３の第１，第２中継基板接続受部３１，３２を各々排出・発射制御装置２６の中継基板接続部２６ｂと電源装置２７の中継基板接続部２７ｂに接続させることで、排出・発射制御装置２６の排出・発射制御基板と電源装置２７の電源基板を共通中継基板３０により直接的に接続し、その他の制御装置との接続は、共通中継基板３０に設けた外部接続用コネクタ部３３を介して行う。【選択図】図４
2006167348.tif 000002
【特許請求の範囲】
【請求項１】
複数の制御装置が並設される遊技機において、
前記複数の制御装置には、同一平面状に中継基板を接続可能な中継基板接続部を各々設け、
前記中継基板は、
少なくとも２以上の制御装置に対応して設けられ、各制御装置の中継基板接続部と直接的に接続可能な中継基板接続受部と、
前記中継基板接続受部を介して制御装置を他の制御装置および／または各種電機部品と電気的に接続させる中継接続部と、
を備え、
前記複数の制御装置に跨って、前記中継基板接続受部に対応する前記中継基板接続部に差し込むことにより、中継基板で前記複数の制御装置間を電気的に接続することを特徴とする遊技機。
【請求項２】
前記中継基板を着脱可能に保持する中継基板ホルダと、
前記中継基板ホルダに一端部が接続され、前記制御装置が取り付けられる遊技機の裏面側に形成された回動支持部に他端が回動可能に取り付けられた回動支持腕部と、
を備え、
前記中継基板を取り付けた中継基板ホルダを、予め定めた接続方向へ回転させることで、中継基板接続受部を複数の制御装置に設けた中継基板接続部へ同時に接続し、接続方向と反対側へ中継基板ホルダを回転させることで、複数の制御装置に設けた中継基板接続部と中継基板接続受部との接続を断つようにしたことを特徴とする請求項１に記載の遊技機。
【請求項３】
前記中継基板は、前記制御装置が取り付けられる遊技機の裏面側に形成された回動軸支部により回動自在に保持されると共に、少なくとも回動軸支部を挟んで相対向する部位に夫々第１中継基板接続受部と第２中継基板接続受部を形成し、予め定めた接続方向へ中継基板を回転させることで、第１中継基板接続受部を第１制御装置に設けた中継基板接続部へ、第２中継基板接続受部を第２制御装置に設けた中継基板接続部へ同時に接続し、接続方向と反対側へ中継基板を回転させることで、第１制御装置および第２制御装置に設けた各中継基板接続部と、第１中継基板接続受部および第２中継基板接続受部との接続を断つようにしたことを特徴とする請求項１に記載の遊技機。
【請求項４】
複数の制御装置が並設される遊技機において、
前記複数の制御装置は、少なくとも、遊技を統括的に制御するための遊技制御基板を内包する遊技制御装置と、遊技の演出部分を制御する演出制御基板を内包する演出制御装置と、を含み、
前記遊技制御装置は、前記演出制御基板による演出制御に利用される演出情報が固定的に記憶された演出ＲＯＭが実装された演出ＲＯＭ基板をカセット状の収納体に収納した演出情報供給部を、所定の変換機構部により収容状態から接続状態へ変換可能に保持し、
前記演出制御装置は、接続状態に変換した演出情報供給部の演出情報供給側接続部が接続可能な演出制御基板側接続部を備え、
前記演出供給部が収容状態から接続状態に変換することで、演出情報供給部の演出情報供給側接続部と演出制御装置の演出制御基板側接続部が接続し、演出情報が演出制御基板に供給されるようにしたことを特徴とする遊技機。
【発明の詳細な説明】
【技術分野】
【０００１】
本発明は、複数の制御装置が並設される遊技機に関するものである。
【背景技術】
【０００２】
従来、パチンコ遊技機に代表される遊技機には、遊技制御装置，排出制御装置，演出制御装置，発射制御装置など、４〜５種類程度の制御装置が設けられ、電源装置から各制御装置に電源供給されて所定の機能動作を行うものであった。
【０００３】
例えば、上記遊技制御装置は、遊技盤の前面側に配置される変動入賞装置等の各種遊技装置の駆動制御、遊技盤に配設された遊技媒体の入賞センサからの信号処理に関する制御等を行い、上記演出制御装置は、遊技盤の前面側に配置される装飾ランプやＬＥＤ等の装飾装置による装飾演出の制御、入賞音等の音声出力制御、遊技盤前面に配置された液晶表示装置等の表示制御等の複数の機能を兼ねるものであった。また、排出・発射制御装置は、遊技媒体としての遊技球の排出手段の制御と、遊技媒体としての遊技球を遊技盤の遊技領域内へ発射する発射モータやソレノイドの駆動制御を司り、電源装置は、前記各種遊技装置および前記の各装置に電力を供給する機能を果たすものである。
【０００４】
また、各制御装置同士で信号の授受が必要であることから、各制御装置は、制御基板を内包した樹脂ケースの所定部位にコネクタ部を露出させ、このコネクタ部を介して他の制御装置等との接続ケーブルが配線されるものであった。
【０００５】
そして、遊技機裏面側の狭い空間において、多数のコネクタ部と多数の配線をそれぞれ確実に接続する作業は困難であるとの理由から、予めコネクタ部に配線を接続しておき、これらのコネクタ部をまとめて制御基板に接続することで、結線作業の効率化を図った発明が提案されている（例えば、特許文献１を参照）。
【０００６】
【特許文献１】特開２０００−３４２８２５号公報
【０００７】
また、例えばパチンコ機、スロットマシンのような、遊技面を備えた遊技機は、遊技面に図柄等を表示する画像表示手段を備えるものが一般的である。この画像表示手段に表示する画像としては、その美しさやストーリー性にも高度なものが求められるようになってきている。さらに、画像に同期した音声等も必要になっている。このため、画像表示および音声出力を制御するプログラムの容量、画像および音声データといった演出情報の容量は肥大化する一方である。
【０００８】
なお、従来の遊技機における演出情報（プログラムおよびデータ）は、マスクＲＯＭ等のＲＯＭ（リード・オンリー・メモリ）ＩＣ（集積回路）に格納され、遊技機を制御するための遊技制御基板および演出制御基板内に設置されていた。遊技機を制御するための遊技制御プログラムは遊技制御基板内のＲＯＭに記憶され、画像を制御するためのプログラムおよびデータは演出制御基板内のＲＯＭに記憶されていた。
【０００９】
このように、従来の遊技機では、遊技、画像および音声を制御するプログラムおよびデータが遊技制御基板または演出制御基板内のＲＯＭに格納されていたため、機種を交換する場合には、遊技盤とともに遊技制御基板および演出制御基板内のこれらのプログラムおよびデータが格納されたＲＯＭも一緒に交換する必要があった。なお、ＲＯＭを適正なものに交換しないと、遊技盤の種類と遊技内容を制御するプログラムおよびデータとが不整合を起こし、遊技続行が不可能となる事態も生じ得る。
【００１０】
従って、画像表示手段を含む遊技盤の交換に伴って、それと整合するように遊技制御基板および演出制御基板の交換も必要となるため、遊技盤の交換作業が複雑となり、作業ミスも生じ易いという問題があった。このような問題点を解決するため、演出情報が格納されたＲＯＭをカセット形状の収納体に収納したカセットＲＯＭを交換可能とした発明も提案されている（例えば、特許文献２を参照）。
【００１１】
【特許文献１】特開平１１−３０００１０号公報
【００１２】
しかしながら、特許文献１に記載の発明では、コネクタ基板を制御装置に取り付けることで配線接続が容易になるものの、コネクタ基板と制御装置は一対であり、各制御装置間を電気的に接続する配線接続自体は従来と同じであることから、遊技機裏面側の煩雑さは変わらず、作業中にうっかりコネクタが抜けてしまうようなミスを軽減するには至っていない。
【００１３】
また、特許文献２に記載の発明では、対象が大きすぎて、接続部分に差が出やすく、実際問題上手く接続しにくい。
【発明の開示】
【発明が解決しようとする課題】
【００１４】
そこで、本発明は、上記問題点に鑑み、複数の制御装置に対する配線接続を効率的に容易化する遊技機の提供、および演出制御装置を共通化して利用できる遊技機の提供を目的とする。
【課題を解決するための手段】
【００１５】
上記の課題を解決するために、請求項１に係る発明は、複数の制御装置が並設される遊技機において、前記複数の制御装置には、同一平面状に中継基板を接続可能な中継基板接続部を各々設け、前記中継基板は、少なくとも２以上の制御装置に対応して設けられ、各制御装置の中継基板接続部と直接的に接続可能な中継基板接続受部と、前記中継基板接続受部を介して制御装置を他の制御装置および／または各種電機部品と電気的に接続させる中継接続部と、を備え、前記複数の制御装置に跨って、前記中継基板接続受部に対応する前記中継基板接続部に差し込むことにより、中継基板で前記複数の制御装置間を電気的に接続することを特徴とする。
【００１６】
また、請求項２に係る発明は、前記請求項１に記載の遊技機において、前記中継基板を着脱可能に保持する中継基板ホルダと、前記中継基板ホルダに一端部が接続され、前記制御装置が取り付けられる遊技機の裏面側に形成された回動支持部に他端が回動可能に取り付けられた回動支持腕部と、を備え、前記中継基板を取り付けた中継基板ホルダを、予め定めた接続方向へ回転させることで、中継基板接続受部を複数の制御装置に設けた中継基板接続部へ同時に接続し、接続方向と反対側へ中継基板ホルダを回転させることで、複数の制御装置に設けた中継基板接続部と中継基板接続受部との接続を断つようにしたことを特徴とする。
【００１７】
また、請求項３に係る発明は、前記請求項１に記載の遊技機において、前記中継基板は、前記制御装置が取り付けられる遊技機の裏面側に形成された回動軸支部により回動自在に保持されると共に、少なくとも回動軸支部を挟んで相対向する部位に夫々第１中継基板接続受部と第２中継基板接続受部を形成し、予め定めた接続方向へ中継基板を回転させることで、第１中継基板接続受部を第１制御装置に設けた中継基板接続部へ、第２中継基板接続受部を第２制御装置に設けた中継基板接続部へ同時に接続し、接続方向と反対側へ中継基板を回転させることで、第１制御装置および第２制御装置に設けた各中継基板接続部と、第１中継基板接続受部および第２中継基板接続受部との接続を断つようにしたことを特徴とする。
【００１８】
上記課題を解決するために、請求項４に係る発明は、複数の制御装置が並設される遊技機において、前記複数の制御装置は、少なくとも、遊技を統括的に制御するための遊技制御基板を内包する遊技制御装置と、遊技の演出部分を制御する演出制御基板を内包する演出制御装置と、を含み、前記遊技制御装置は、前記演出制御基板による演出制御に利用される演出情報が固定的に記憶された演出ＲＯＭが実装された演出ＲＯＭ基板をカセット状の収納体に収納した演出情報供給部を、所定の変換機構部により収容状態から接続状態へ変換可能に保持し、前記演出制御装置は、接続状態に変換した演出情報供給部の演出情報供給側接続部が接続可能な演出制御基板側接続部を備え、前記演出供給部が収容状態から接続状態に変換することで、演出情報供給部の演出情報供給側接続部と演出制御装置の演出制御基板側接続部が接続し、演出情報が演出制御基板に供給されるようにしたことを特徴とする。
【発明の効果】
【００１９】
請求項１に係る遊技機によれば、中継基板に設けた中継基板接続受部と２以上の制御装置に夫々設けた中継基板接続部とを直接的に接続させることで、並設した複数の制御装置の電気的な接続が行えるので、各制御装置間の配線接続をしなくても良く、配線接続作業を軽減できる。しかも、遊技機裏面側の配線本数を減少させることで、遊技機裏面側の煩雑さを解消し、作業中にうっかりコネクタが抜けてしまうようなミスを効果的に防止できる。加えて、中継基板に設けた中継接続部により、直接接続されていない他の制御装置や各種電機部品との接続も容易となる。
【００２０】
また、請求項２に係る遊技機によれば、前記中継基板を着脱可能に保持する中継基板ホルダと、前記中継基板ホルダに一端部が接続され、前記制御装置が取り付けられる遊技機の裏面側に形成された回動支持部に他端が回動可能に取り付けられた回動支持腕部と、を備え、前記中継基板を取り付けた中継基板ホルダを、予め定めた接続方向へ回転させることで、中継基板接続受部を複数の制御装置に設けた中継基板接続部へ同時に接続し、接続方向と反対側へ中継基板ホルダを回転させることで、複数の制御装置に設けた中継基板接続部と中継基板接続受部との接続を断つようにしたので、複数の制御装置に対する中継基板の取り付け、取り外しを容易に行うことが出来る。また、中継基板は、中継基板ホルダへの着脱が可能なので、制御装置の中継基板接続部の形状に適合する中継基板接続受部を備える中継基板に交換すれば、様々な制御装置に柔軟に対応できる汎用性の高いものとなる。
【００２１】
また、請求項３に係る遊技機によれば、前記中継基板は、前記制御装置が取り付けられる遊技機の裏面側に形成された回動軸支部により回動自在に保持されると共に、少なくとも回動軸支部を挟んで相対向する部位に夫々第１中継基板接続受部と第２中継基板接続受部を形成し、予め定めた接続方向へ中継基板を回転させることで、第１中継基板接続受部を第１制御装置に設けた中継基板接続部へ、第２中継基板接続受部を第２制御装置に設けた中継基板接続部へ同時に接続し、接続方向と反対側へ中継基板を回転させることで、第１制御装置および第２制御装置に設けた各中継基板接続部と、第１中継基板接続受部および第２中継基板接続受部との接続を断つようにしたので、複数の制御装置に対する中継基板の取り付け、取り外しを容易に行うことができ、更に、中継基板の回動動作に要するスペースを抑制できるという利点もある。
【００２２】
また、請求項４に係る遊技機によれば、演出制御基板による演出制御に利用される演出情報が固定的に記憶された演出ＲＯＭが実装された演出ＲＯＭ基板をカセット状の収納体に収納した演出情報供給部を、収容状態から接続状態に変換することで、演出情報供給部の演出情報供給側接続部と演出制御装置の演出制御基板側接続部が接続し、演出情報が演出制御基板に供給されので、演出制御基板には遊技盤固有の演出情報を除く共通制御機能だけを持たせておけば、遊技盤の交換に伴って他の遊技制御装置に交換されても、その遊技制御装置が保持する演出情報供給部から新たな遊技盤に対応する演出情報の供給を受けて演出制御を行うことができ、演出制御装置の共通利用が可能となる。
【発明を実施するための最良の形態】
【００２３】
次に、本発明に係る遊技機の実施形態を添付図面に基づき詳細に説明する。図１に示すのは、パチンコ遊技を行える遊技機１の正面図で、遊技機本体１ａの側方に遊技球を貸し出すためのプリペイドカードを処理するカードユニット１ｂを備えるものとしてある。
【００２４】
遊技機本体１ａは、機枠２の前面側に額縁状の前面枠３を開閉可能に設け、該前面枠３に開設した窓部の前面側にガラス枠４と開閉扉５を開閉可能に軸着し、窓部の背面側には窓部を塞ぐようにして遊技盤６を装着し、前面枠３の下部前面側に球受皿７と発射操作ハンドル８などを取り付けてある。
【００２５】
また、開閉扉５には遊技球貯留手段として球供給皿９を設け、該球供給皿９より打球発射機構（図示省略）へ供給された遊技球が弾発され、遊技盤６の遊技領域（主として、ガラス枠４の装飾部材４ａにより覆われていない遊技窓部４ｂから遊技者が視認できる状態になっている領域であり、後に詳述する。）へ到達する。また、窓部４ｂにおける略中央部の左右両側には、それぞれスピーカ４ｃ，４ｃを設けてある。
【００２６】
また、プリペイドカードで遊技球を借り受ける場合、カードユニット１ｂのカード挿入口１０にプリペイドカードを挿入すると、そのプリペイドカードでの球貸が可能であれば使用可能な度数が度数表示器１１に表示され、球貸スイッチ１２ａを操作する毎に単位度数分（例えば、１００円に相当する１度数分）の球貸動作が行われる。なお、カード返却スイッチ１２ｂが操作されると、プリペイドカードがカード挿入口１０より排出される。
【００２７】
また、上記遊技盤６は、厚肉の合板材を略四角形状に加工した本体盤の表面に種々の遊技装置や遊技器具等を設けてなる遊技部１３を形成したもので、この遊技盤６を交換することで、他の機種に変更することができる。打球発射装置により弾発された遊技球が誘導される遊技部６には、図示を省略した障害釘が複数植設されると共に、変動表示器１４ａを備える変動表示装置１４や開閉扉１４ａにより大入賞口を閉塞する第１状態と大入賞口を開放する第２状態とに変換可能な変動入賞装置１５といった大型の遊技装置のほか、入賞口１６…や風車１７が配置されている。
【００２８】
また、遊技領域１２には、通過する遊技球を検出する第１普図始動ゲート１８ａと第２普図始動ゲート１８ｂを設け、これら第１，第２普図始動ゲート１８ａ，１８ｂのセンサが遊技球の通過を検出すると、変動入賞装置１５に設けた普図表示器１９を用いた普通図柄変動表示ゲームが行われる。この普通図柄変動表示ゲームでは、例えば、左表示ランプと右表示ランプをそれぞれ当たりランプと外れランプに対応させておき、これらを交互に点灯させて、所定時間経過後に停止表示された表示ランプが当たりランプであった場合に、普通電動役物２０の可動部材２０ａ，２０ａが左右に開いて特図始動口２０ｂに入賞し易い状態となる。
【００２９】
上記特図始動口２０ｂへの入賞球を特図始動センサ２１が検出した場合には、上記変動表示装置１４の変動表示器１４ａに複数の識別情報を変動表示させて所定のタイミングで停止表示する特別図柄変動表示ゲームが行われる。特別図柄変動表示ゲームとは、例えば、３桁の数字や各種記号等を高速で変換表示した後に、所定の順序で停止表示させてゆき、３桁の停止表示態様が予め定めた特別表示態様（例えば、「０，０，０」「２，２，２」「３，３，３」「７，７，７」等、３桁の数字や記号が全て一致するぞろ目の停止態様）になると、特別遊技への遊技移行条件が達成されるものである。
【００３０】
なお、特別遊技への移行条件が達成される特別表示態様の中でも特に定めた特賞結果態様（例えば、奇数のぞろ目である「１，１，１」「３，３，３」「５，５，５」「７，７，７」「９，９，９」）になった場合には、特別図柄変動表示ゲームで特別表示態様が発生する確率を通常の第１確率から、特別表示態様が発生する確率が第１確率よりも高い第２確率へ変更する（所謂、確変モードに変更する）ことで、次の特別遊技移行条件を達成し易くする特典を与えるようにしても良い。また、変動表示ゲーム実行中に特図始動口２０ｂへの入賞球が検出された場合、これを所定数（例えば、４個）まで記憶すると共に、変動表示装置１４の始動入賞記憶表示器１４ｂにて可視表示し、変動表示ゲームの終了後にこの始動記憶に基づいて、次の変動表示ゲームを実行できる。
【００３１】
上記のようにして特別図柄変動表示ゲームの停止表示態様が特別表示態様となることで行われる特別遊技においては変動入賞装置１５を用い、例えば、開閉扉１５ａが大入賞口を開放している第２状態変換時間が所定時間（例えば３０秒）に達するサイクル終了第１条件と、第２状態へ変換してからカウントセンサ１５ｂが検出した大入賞口への入賞球数が所定個数（例えば、１０個）に達するサイクル終了第２条件のうち、何れかの条件が達成されると、これを以てサイクル遊技の終了となり、所定時間幅のウェイトタイム経過後に再びサイクル遊技を行う。また、特別遊技におけるサイクル更新は所定回数（例えば、１５回）までとし、最初のサイクル遊技から数えて１６回目のサイクル遊技が実行されると、この１６回目のサイクル遊技の終了を以て特別遊技を終了させるものとした。
【００３２】
なお、特別遊技の内容は、上述した例に限定されるものではなく、遊技者の獲得利益を高めるという特別遊技の趣旨に沿うように、適宜設定すれば良い。無論、普通変動表示ゲームなども、上述した例に限定されるものではない。また、普通変動表示ゲームを行うための普図表示器１９を別途設けずに、変動表示装置１４の変動表示器１４ａを用いて行うようにしても良い。
【００３３】
上述した遊技機１における遊技機本体１ａの裏側には、図２に示すように、遊技盤６に設けられた各種入賞口へ入賞して回収された遊技球や何れの入賞口にも入賞せずにアウト口から回収された遊技球を機外の回収球搬送路へ導く遊技球回収機構などが形成された裏機構盤２２が装着され、この裏機構盤２２の背面側には、島設備より供給される遊技球を受けて貯留する上部タンク２３、球貸要求に応じた球排出動作や入賞に基づく賞球排出動作を行う排出装置２４、遊技盤６に設けた各種遊技装置の動作制御などを行うことで遊技の進行を統括的に制御する遊技制御装置２５、排出装置２４に対する球排出制御や打球の発射制御を行う排出・発射制御装置２６、各部へ所定の電源を供給する電源装置２７、機外と接続するための枠用外部出力端子板２８等を適所に設けてある。なお、遊技盤６のほぼ中央に設けた変動表示装置１４の背面側には演出制御装置２９が装着されているが、カバー部材２２ａによって覆い隠されている。
【００３４】
しかして、本実施形態に係る遊技機１においては、排出・発射制御装置２６と電源装置２７と共通中継基板３０により直接的に接続するものとした。共通中継基板３０とその接続機構の詳細を図３〜図７に示す。
【００３５】
排出発射制御基板２６ａを内包する排出・発射制御装置２６には、共通中継基板３０の第１中継基板接続受部３１が接続可能な中継基板接続部２６ｂを備え、電源基板２７ａを内包する電源装置２７には、共通中継基板３０の第２中継基板接続受部３２が接続可能な中継基板接続部２７ｂを備える。そして、共通中継基板２７の第１，第２中継基板接続受部３１，３２を、排出・発射制御装置２６の中継基板接続部２６ｂと電源装置２７の中継基板接続部２７ｂへ同時に接続させるだけで、排出・発射制御装置２６と電源装置２７の接続を行うことができる。
【００３６】
また、横長四角の板状の外観を呈する中継基板３０には、中継用コネクタ部３３を備え、この中継用コネクタ部３３と他の制御装置（第１，第２中継基板接続受部３１，３２を介して直接接続されていない遊技制御２５や演出制御装置２９等）や各種電機部品（遊技盤６に設けられる各種入賞口のセンサ、変動入賞装置１５の電気的駆動源であるソレノイド等）と接続することにより、排出・発射制御基板２６ａと電源基板２７ａと他の制御装置や電機部品との電気的な接続を簡易に行うことが可能となる。なお、中継用コネクタ部３３により接続するのは、他の制御装置のみでも良いし、電機部品のみでも良い。
【００３７】
上記のような共通中継基板３０による排出・発射制御装置２６と電源装置２７との接続や切断を簡易に行うための機構の第１構成例として、共通中継基板３０を保持する基板ホルダ４０の適所から基板保持面４０ａにほぼ直交するように延出させた一対の回動支持腕部４１，４１の端部に設けた軸受孔４１ａ、４１ａを、裏機構盤２２の背面側から突出させた一対の軸支部５０、５０の適所より軸心がほぼ一直線上に位置するよう形成した回動軸５１，５１に挿通させることで、回動軸５１，５１を回動中心に、回動支持腕部４１，４１を回動半径として基板ホルダ４０の基板保持面４０ａがほぼ水平で上を向く状態からほぼ水平で下を向く状態まで概ね１８０゜の回動範囲が得られるようにした。なお、基板ホルダ４０を回動する回動手法としては、軸支部５０に設けた回動軸５１に回動支持腕部４１の軸受孔４１ａを軸着するものに限らず、逆に、回動支持腕部４１側に回動軸を設けて、軸支部５０側に軸受孔を設けるようにしても良いし、その他の公知既存の回動手法を適用しても構わない。また、回動支持腕部４１，４１は基板ホルダ４０と一体的に成型するものに限らず、別体の回動支持腕部材を基板ホルダに接続することで回動支持腕部として機能させても良い。
【００３８】
上記構造において、基板ホルダ４０の基板保持面４０ａが上向いた状態で共通中継基板３０を取り付けると、排出・発射制御装置２６側の後部（図３〜図５においては紙面の手前側）に第１中継基板接続受部３１が、電源装置２７側の後部（図３〜図５においては紙面の手前側）に第２中継基板接続受部３２が各々位置し、このまま基板保持面４０ａを後方から下方へ向かわせるように基板ホルダ４０を１８０゜回転させて行くと、排出・発射制御装置２６側の前部（図３〜図５においては紙面の奥側）に第１中継基板接続受部３１が、電源装置２７側の前部（図３〜図５においては紙面の奥側）に第２中継基板接続受部３２が各々位置し、排出・発射制御装置２６の中継基板接続部２６ｂと電源基板２７の中継基板接続部２７ｂに跨って同時にコンタクトできる位置へ導かれてゆき、共通中継基板３０による排出・発射制御基板２６ａと電源基板２７ａの電気的接続が同時に行われる（図６（ａ）を参照）。
【００３９】
上記第１，第２中継基板接続受部３１，３２は、接続部位に応じた複数の配線パターン３１ａ、３２ａからなるもので、これら配線パターン３１ａ，３２ａが中継基板接続部２６ｂ，２７ｂに複数形成された接続弁２６ｃ，２７ｃに各々導通するように予め位置決めしておくことにより、排出・発射制御装置２６の中継基板接続部２６ｂへ第１中継基板接続受部３１を、電源装置２７の中継基板接続部２７ｂへ第２中継基板接続受部３２を各々押し込むだけで、共通中継基板３０による電気的接続が適切に実現されるものとした。
【００４０】
一方、共通中継基板３０による排出・発射制御基板２６ａと電源基板２７ａの同時接続を断つ場合には、接続時とは逆方向へ基板ホルダ３０を回転させ、排出・発射制御装置２６の中継基板接続部２６ｂから第１中継基板接続受部３１を、電源装置２７の中継基板接続部２７ｂから第２中継基板接続受部３２を各々引き抜けば良い。なお、共通中継基板３０による接続を断つ方向へ基板ホルダを１８０゜回転させると、共通中継基板３０が上向きとなり、共通中継基板３０の裏面（中継用コネクタ部３３が設けられていない側の面）を容易に見ることが出来るので、共通中継基板３０の裏面に不正な部品が付いているかどうかを容易に確認できる。
【００４１】
また、基板ホルダ４０へ共通中継基板３０を取り付ける手法は特に限定されるものではないが、本構成例においては、可撓性を有する合成樹脂等の非導電性素材で形成した基板ホルダ４０の基板保持面４０ａの三方端、例えば、左右両側の２短辺と、回動支持腕部４１，４１が延出していない側の長辺の３方に、各々凸状の第１ガイド部４２，第２ガイド部４３，第３ガイド部４４を設け、共通中継基板３０の三辺をこれら第１〜第３ガイド部４２〜４４により位置決めできるようにし、ガイド部を設けていない辺の側よりホルダ保持面４０ａ側に突出させた一対の係止爪４５，４５を設けた。
【００４２】
すなわち、図７（ａ）に示すように、ガイド部４２〜４４に共通中継基板３０を合わせつつ基板ホルダ４０の基板保持面４０ａ上に落とし込んで行くと、コネクタ用開口部４６に中継用コネクタ部３３が填り込んで位置決めがなされ、更に共通中継基板３０を押し込むと、係止爪４５の爪部４５ａの誘導傾斜面を共通中継基板３０が押すことで、爪部４５ａが側方へ開き（図７（ｂ）を参照）、共通中継基板３０が基板保持面４０ａ上に当たるまで押し込まれると、係止爪４５の爪部４５ａは共通中継基板３０の押圧力から解放されて初期状態に復帰し、係止爪４５の爪部４５ａが共通中継基板３０の上方へ突出した状態となるので、共通中継基板３０が基板ホルダ４０から外れ難くなる。
【００４３】
一方、共通中継基板３０を基板ホルダ４０から取り外す場合には、係止爪４５の爪部４５ａが共通中継基板３０の上方から退くように押し開いて、基板保持面４０ａから共通中継基板３０を引き起こせば良い。なお、共通中継基板３０の着脱に際して係止爪４５が撓みやすくなるように、係止爪４５の基端部の側方に溝部４７を形成した。また、共通中継基板３０によって共通中継基板３０によって排出・発射制御基板２６ａと電源基板２７との同時接続を行った際には、基板ホルダ４０の下方に共通中継基板３０が位置することとなるので、共通中継基板３０が自重により撓んでしまわないよう、排出・発射制御装置２６には中継基板支持用凹部２６ｃおよび中継基板支持用延出部２６ｄを、電源装置２７には中継基板支持用凹部２７ｃを各々設け、ほぼ面一な状態で共通中継基板３０の裏面（中継用コネクタ部３３が設けられていない側の面）を支持できるようにした。また、中継基板支持用凹部２６ｃ，２７ｃおよび中継基板支持用延出部２６ｄによって共通中継基板３０の裏面側を支えておけば、共通中継基板３０の中継用コネクタ部３３に対するコネクタの着脱作業を安定的に行えるという利点もある。
【００４４】
上述した第１実施形態では、排出・発射制御装置２６と電源装置２７を共通中継基板３０によって接続するものとしたが、これに限らず、他のどの制御装置の接続に用いても良いし、また、２つの制御装置に限らず、３つ以上の制御装置を同時に接続するように構成しても良い。さらに、共通中継基板３０によって接続する制御装置の配置も横方向に並設する場合に限らず、縦方向あるいは斜めに並設しても構わない。何れにしても、共通中継基板３０による一括接続が可能なように、各制御装置の中継基板接続部が同一面上に配置されていれば、構造上の制約は特に無く、基板ホルダ４０の回動範囲や回動軸の向きを調整することで、設計上の自由度も高くなる。
【００４５】
また、上述した第１実施形態に係る遊技機１における共通中継基板３０の接続構成例においては、回動支持腕部４１を回動半径として回動する基板ホルダ４０に共通中継基板３０を搭載する構造を採用したので、共通中継基板３０を排出・発射制御装置２６および電源装置２７に接続したり接続を断ったりする際には、比較的大きな回動空間を必要とする。そこで、中継基板による制御装置の接続・切断をコンパクトな回転空間内で行えるようにした第２実施形態について、以下に詳述する。
【００４６】
図８に示すのは、第２実施形態に係る遊技機１として、遊技制御装置２５と演出制御装置２９を共通中継基板６０によって同時接続できるようにした構成例を示すものである。図８（ａ）は非接続時の共通中継基板６０を上方から見た図で、図８（ｂ）は接続時の共通中継基板６０を上方から見た図で、図８（ｃ）は接続時の共通中継基板６０を後方から見た図である。
【００４７】
本構成例に示す共通中継基板６０は、任意形状の板材のほぼ中央（重心位置）に軸受孔６０ａを開設し、遊技制御装置２５等が取り付けられる裏機構盤２２の背面側から突出させた回動軸支部５２の上面適所より突出する回動軸５３に挿通することで、共通中継基板６０が水平方向に回動できるようにしてある。すなわち、本構成例においては、共通中継基板６０に開設した軸受孔６０ａを回動軸支部５２の回動軸５３へ挿通することで、共通中継基板６０が回動自在に軸支されるのである。なお、回動軸５３の頂上部には軸受孔６０ａよりも径の大きな抜け止め部５３ａを形成してある。
【００４８】
また、軸受孔６０ａが回動軸５３に挿通されて回動自在に保持される共通中継基板６０は、軸受孔６０ａを挟んで相対向する部位に夫々第１中継基板接続受部６１と第２中継基板接続受部６２を形成してある。第１中継基板接続受部６１は、遊技制御装置２５の遊技制御基板２５ａに設けた中継基板接続部２５ｂに接続されるもので、第２中継基板接続受部６２は、演出制御装置２９の演出制御基板２９ａに設けた中継基板接続部２９ｂに接続されるものである。
【００４９】
非接続状態における共通中継基板６０は、第１中継基板接続受部６１は後側に位置して遊技制御装置２５側を向き、第２中継基板接続受部６２は前側に位置して演出制御装置２９側を向いている（図８（ａ）を参照）。なお、遊技制御装置２５や演出制御装置２９が背面側に取り付けられる裏機構盤２２には、中継基板ガイド凹部２２ｂを形成し、演出制御装置２９の取付部位よりも前側に第２中継基板接続受部６２が位置することとなる共通中継基板６０の障害とならないようにすると共に、非接続状態における共通中継基板６０の回動範囲を規制できるようにした。
【００５０】
上記共通中継基板６０を非接続状態から接続状態へ変換する場合には、第１中継基板接続受部６１を遊技制御基板２５ａの中継基板接続部２５ｂへ、第２中継基板接続受部６２を演出制御基板２９ａの中継基板接続受部２９ｂへ夫々向わせる方向（図８（ａ）における矢印方向）へ回転させると、第１中継基板接続受部６１は遊技制御装置２５に設けた中継基板誘導凹部２５ｃを通って、遊技制御装置２５の前面側（裏機構盤２２に近い側）に位置する遊技制御基板２５ａから後方向きに設けられた中継基板受部２５ｂに接続され、第２中継基板接続受部６２は演出制御装置２９に設けた中継基板誘導凹部２９ｃを通って、演出制御装置２９の背面側（裏機構盤２２から遠い側）に位置する演出制御基板２９ａから前方向きに設けられた中継基板受部２９ｂに接続される。
【００５１】
一方、共通中継基板６０を接続状態から非接続状態へ変換する場合には、接続時とは逆方向（図８（ｂ）における矢印方向）へ共通中継基板６０を回転させ、遊技制御装置２５の中継基板接続部２５ｂから第１中継基板接続受部６１を、演出制御装置２９の中継基板接続部２９ｂから第２中継基板接続受部６２を各々引き抜けば良い。
【００５２】
また、共通中継基板６０の上面側（回動軸支部５２上に載っていない側）には、中継用コネクタ部６３を設け、この中継用コネクタ部６３と他の制御装置（排出・発射制御２６や電源装置２７等）や各種電機部品と接続することにより、遊技制御基板２５ａと演出制御基板２９ａと他の制御装置や電機部品との電気的な接続を簡易に行うことが可能となる。なお、中継用コネクタ部６３により接続するのは、他の制御装置のみでも良いし、電機部品のみでも良い。
【００５３】
上述した本構成例の回動手法による共通中継基板６０の接続・非接続の変換動作に際しては、回動中心（軸受孔６０ａ）から第１，第２中継基板接続受部６１，６２の最遠部までを半径とする回動空部が水平方向で確保できれば良く、上下方向（共通中継基板６０の回動方向に直交する向き）では、図８（ｃ）より良く分かるように、共通中継基板６０の厚みを十分収容できる程度の領域で済むことから、上述した第１実施形態の回動手法による共通中継基板３０の回動動作に要するスペースに比べて、共通中継基板６０の回動動作に要するスペースを抑制できるという利点がある。但し、回動軸支部に対して相対向する２箇所にしか中継基板接続受部を設けることができないので、３つ以上の制御装置を同時に接続することはできない。
【００５４】
この第２実施形態では、遊技制御装置２５と演出制御装置２９を共通中継基板６０によって接続するものとしたが、これに限らず、他のどの制御装置の接続に用いても良い。さらに、共通中継基板３０によって接続する制御装置の配置も横方向に並べる場合に限らず、縦方向あるいは斜めに配置しても構わない。また、共通中継基板６０を回動自在に軸支する回動軸支部５２に設ける回動軸５３も鉛直方向に限らず、斜めあるいは水平方向へ設けても良いし、或いは裏機構盤２２の背面から後向きに突出するような回動軸を設けることで、共通中継基板６０が鉛直面内で回動するようにしても構わない。
【００５５】
次に、演出制御装置２９の演出制御基板２９ａに演出情報（演出制御用のプログラムやデータ）を供給する演出情報供給部として演出情報供給装置を用い、演出情報供給装置から供給する演出情報を変えることで、演出制御装置２９による演出制御内容を変更できる遊技機の実施形態について説明する。
【００５６】
図９（ａ）は、演出情報供給装置たる演出カセットＲＯＭ７０の外観を示すもので、演出制御基板２９ａによる演出制御に利用される演出情報が固定的に記憶された演出ＲＯＭ７１ａが実装された演出ＲＯＭ基板７１をカセット状の収納体７２に収納したものである。演出ＲＯＭ基板７１の外縁部適所には接続部７１ｂを設け、この接続部７１ｂを介して演出ＲＯＭ７１ａから外部へ演出情報を供給可能である。
【００５７】
また、収容体７２の側壁における、演出ＲＯＭ基板７１の接続部７１ｂが臨む部位には、所要形状の接続用開口部７２ａを設け、この接続用開口部７２ａを介して演出制御基板２９ａの接続受部２９ｄを挿通可能とした（図９（ｂ）を参照）。そして、接続部位に応じた複数の配線パターンにより形成された接続部７１ｂが、演出制御基板２９ａの接続受部２９ｄに複数形成された接続弁２９ｅに各々導通するように、収容体７２の接続用開口部７２ａから演出制御基板２９ａの接続受部２９ｄを演出ＲＯＭ基板７１の接続部７１ｂに嵌め込むことで、演出ＲＯＭ７１ａから演出制御装置２９へ演出情報が適正に供給されるようになり、演出制御装置２９による演出制御が実行可能となる。従って、演出カセットＲＯＭ７０の演出ＲＯＭ７１ａに固定的に記憶された演出情報に応じて、種々の演出制御に対応させることができるのである。
【００５８】
なお、上述した演出カセットＲＯＭ７０は、遊技制御装置２５の演出カセットＲＯＭ収納凹部２５ｄ内に収納され、例えば、封印シール２５ｅによって、演出カセットＲＯＭ７０が出荷時の収納状態に保たれていることを保証する（図１０（ａ１），（ａ２）を参照）。また、この封印シール２５ｅは、演出カセットＲＯＭ７０の接続用開口部７２ａを概ね遮蔽する状態で貼るものとし、封印シール２５ａを剥がすことなく演出ＲＯＭ基板７１の接続部７１ｂへ外部からアクセスできないようにした。
【００５９】
遊技制御装置２５の演出カセットＲＯＭ収納凹部２５ｄに収納されている演出カセットＲＯＭ７０は、接続用開口部７２ａの形成位置から適宜離隔した部位（例えば、収容体７２の長手方向で、接続用開口部７２ａが開設されていない方の端部に近い部位）で収容体７２を貫通する回動軸２５ｆに回動可能に支持される。このため、収容体７２の軸支部位における上板および下板（演出ＲＯＭ基板７１に平行な二面を構成する板）に各々軸受孔７２ｂ，７２ｂを開設すると共に、演出ＲＯＭ基板７１の対応する部位にも軸受孔７１ｃを開設しておく。
【００６０】
また、演出カセットＲＯＭ７０が遊技制御装置２５の演出カセットＲＯＭ収納凹部２５ｄに収納された収納状態においては、演出側接続用開口部７２ａを開設した側面が遊技制御装置２５の外表面とほぼ面一となるように、回動軸２５ｆによる軸着位置や収容体７２の外形を調整しておくと、遊技制御装置２５の外表面から演出カセットＲＯＭ７０が突出する部位を減少させることができるので、演出カセットＲＯＭ７０を設けたことが遊技制御装置２５の搬送作業や組み付け作業の障害となることを防止できる。
【００６１】
そして、本構成例においては、演出カセットＲＯＭ７０を収納状態から演出制御装置２９側へ回転させる操作を容易に行えるように、軸着部位から適宜離隔して遊技制御装置２５の外表面よりも突出させ得る部位（例えば、封印シール２５ｅによる封印される接続用開口部７２ａにおける反軸着側の端縁部）に板片状の取っ手部７２ｃを設けた。例えば、演出カセットＲＯＭ収納凹部２５ｄと取っ手部７２ｃ端部との隙間から指先をちょっと入れて手前に引き起こせば、回動軸２５ｆを軸心として演出カセットＲＯＭ７０が回転し、演出カセットＲＯＭ収納凹部２５ｄから演出カセットＲＯＭ７０を簡単に引き出すことができる（図１０（ｂ１），（ｂ２）を参照）。なお、演出カセットＲＯＭ７０を収納状態から接続状態へ変換するに際して、封印シール２５ｅを剥がすと、遊技制御装置２５の外表面には剥離痕２５ｅ′が残るようにし、演出カセットＲＯＭ７０が初期出荷状態でないことを視覚的に判定できるようにした。
【００６２】
上記のようにして、遊技制御装置２５の演出カセットＲＯＭ収納凹部２５ｄから引き起こされた演出カセットＲＯＭ７０を更に演出制御装置２９側（図１０（２ｂ）中の矢印方向）へ回転させると、演出制御装置２９に設けた演出カセットＲＯＭ誘導凹部２９ｆから演出制御基板２９ａの接続受部２９ｄに、演出カセットＲＯＭ７０の接続用開口部７２ａが臨むように誘導されてゆき、そのまま演出カセットＲＯＭ７０の接続部７１ｂを演出制御装置２９の接続受部２９ｄに押し込むことで接続状態となり、演出ＲＯＭ基板７１の演出ＲＯＭ７１ａが保持する演出情報が演出制御装置２９へ供給されるように、電気的接続が適切に実現される（図１０（ｃ１），（ｃ２）を参照）。
【００６３】
ここで、演出カセットＲＯＭ７０を備える遊技制御装置２５と演出制御装置２９との入出力関連の構成につき、図１１に基づいて説明する。
【００６４】
先ず、遊技制御装置２５の遊技制御基板２５ａは、ＣＰＵ（Central Processing Unit）、ＲＯＭ（Read Only Memory）、ＲＡＭ（Random Access Memory）を有する遊技用マイコン２５１が発振器２５２からの動作用クロックを受けて動作し、入出力インターフェース２５３を介して第１特図始動センサ２１，第１普図始動センサ８１ａ，第２普図始動センサ８１ｂ，カウントセンサ１５ｂ，第１入賞口センサ８２ａ〜第ｎ入賞口センサ８２ｎ等より各検出情報が入力され、また、入出力インターフェース２５３を介して普図表示器１９，普電ソレノイド８３，大入賞口ソレノイド８４，盤用外部出力部８５，排出・発射制御装置２６，演出制御装置２９等へ制御信号や制御用コマンドを送る。
【００６５】
上記遊技制御装置２５から演出用のコマンドを受けて適宜な演出動作を行う演出制御装置２９の演出制御基板２９ａは、ＣＰＵ、共通ＲＯＭ、ＲＡＭを有する演出用マイコン７２ａが発振器２９２からの動作用クロックを受けて動作し、入出力インターフェース２９３を介してスピーカ８６，各種の装飾ランプや装飾ＬＥＤよりなる装飾表示器８７，変動表示装置１４等に駆動信号や制御コマンド等を送信する。
【００６６】
なお、演出制御基板２９に実装された演出用マイコン２９１の共通ＲＯＭには、機種に依存しない共通プログラムやデータのみが固定的に記憶されており、機種に固有の演出情報は、遊技制御装置２５の演出カセットＲＯＭ収納凹部２５ｄに収納された演出カセットＲＯＭ７０の演出カセット基板７１に実装された演出ＲＯＭ７１ａに記憶されている。従って、演出ＲＯＭ７１の演出情報が供給されていない演出制御装置２９では、遊技制御装置２５からの演出コマンドに応じた適正な演出制御を行うことができない。
【００６７】
ここにおいて、演出カセットＲＯＭ７０が収納状態から接続状態に変換されると（図１２を参照）、演出カセットＲＯＭ基板７１の接続部７１ｂと演出制御基板２９ａの接続受部２９ｄとが接続されることで、演出ＲＯＭ７１ａの演出情報が入出力インターフェース２９３を介して演出制御基板２９ａの演出用マイコン２９１に供給されるようになり、遊技制御装置２５からの演出コマンドに応じた適正な演出制御を行うことが可能となる。しかも、演出カセットＲＯＭ７０は、遊技制御装置２５に収納された状態となっているので、遊技盤６９の交換に伴って遊技制御装置２５を交換する際にも、新たな遊技制御装置２５に適合しない演出カセットＲＯＭ７０を誤って接続してしまうようなミスを防止でき、作業性の向上も期せる。
【００６８】
また、遊技制御装置２５と演出制御装置２９との接続には、上述した共通中継基板３０或いは共通中継基板６０を用いても良いが、演出カセットＲＯＭ７０を経由して遊技制御装置２５と演出制御装置２９とを接続するようにしても良い。例えば、図１３に示すように、入出力インターフェース２５３と演出カセット基板７１とを接続し、演出カセットＲＯＭ７０が演出制御装置２９に接続された際には、演出カセット基板７１および演出制御基板２９ａの入出力インターフェース２９３を介して、演出用マイコン２９１へ演出コマンド等を送信する（図１４を参照）。斯くすれば、遊技制御装置２５と演出制御装置２９との接続を一層簡易に行うことができ、遊技盤交換時やメンテナンス時における作業性の向上を期せる。さらに、遊技制御基板２２５ａから演出カセット演出カセット基板７１への配線を中空状にした回動軸２５ｆを介して行うものとすれば、高価なロータリージョイント式コネクタを用いる必要がなく、コストの低減を期せる。
【００６９】
上記の実施形態においては、遊技制御装置２５が演出カセットＲＯＭ７０を収容状態から接続状態へ変換可能に保持する機構として、演出カセットＲＯＭ７０の軸受孔７２ｂを回動軸２５ｆによって所定回動範囲を回動可能に保持するものとしたが、演出カセットＲＯＭ７０の状態変換可能な保持手法はこれに限定されるものではない。例えば、回動軸２５ｆを用いて演出カセットＲＯＭ７０を回動させることにより状態変換する場合は、そのための回動空部が必要となるが、直線運動（スライド方式）によって状態変換を行わせれば、そのようなスペースは不要となる。以下、演出制御装置２９による演出制御内容を変更できる遊技機の他の実施形態として、遊技制御装置２５に収納される演出カセットＲＯＭ８０によって演出情報を演出制御装置２９へ供給する第４実施形態を説明する。
【００７０】
図１５に示すように、演出情報供給装置としての演出カセットＲＯＭ８０は、演出制御基板２９ａによる演出制御に利用される演出情報が固定的に記憶された演出ＲＯＭ８１ａが実装された演出ＲＯＭ基板８１をカセット状の収納体８２に収納したもので、演出ＲＯＭ基板８１の外縁部適所に設けた接続部８１ｂが収納体８２の一側面に形成した接続用開口部８２ａに臨むように配置してある。なお、図１５（ａ１），（ｂ１），（ｃ１）は遊技機１の裏面から遊技制御装置２５および演出制御装置２９の背面側を見た図で、図１５（ａ２），（ｂ２），（ｃ２）は夫々（ａ１）〜（ｃ１）の横断面を下から上に見上げた図である。
【００７１】
そして、上記接続用開口部８２ａが遊技制御装置２５のケース表面（演出制御装置２９の接続受部２９ｆに相対する側壁面）とほぼ面一になるように、遊技制御装置２５の適所に設けたカセット収納凹部２５ｇに収納されることで、演出カセットＲＯＭ８０は収納状態となる（図１５（ａ１），（ａ２）を参照）。また、演出カセットＲＯＭ８０の接続部８１ｂが演出制御装置２９の演出制御基板２９ａに設けた接続受部２９ｆに当接する位置までスライド移動可能なように、例えば、収容体７２の上面及び下面には板状のスライド片７２ｂ，７２ｂを突設すると共に、カセット収納凹部２５ｇの上下部に各々設けたガイド溝２５ｈ，２５ｈにより演出カセットＲＯＭ８０の各スライド片８２ｂ，８２ｂをスライド可能に保持させた（特に、図１５（ｄ）を参照）。
【００７２】
なお、本構成例においては、演出カセットＲＯＭ８０の背面を露出するように、カセット収納凹部２５ｇの背面側を開放させておき、この露出した収容体８２の背面を指先などで直接押すことにより、演出カセットＲＯＭ８０を演出制御装置２９に向けてスライド移動させるものとしたが、これに限らず、操作レバーなどを介して演出カセットＲＯＭ８０をスライド移動させるようにしても良い。また、本構成例のように、カセット収納凹部２５ｇから吐出する演出カセットＲＯＭ８０の外面を遊技制御装置２５の外表面と概ね面一になるようにしておけば、演出カセットＲＯＭ８０を設けたことが遊技制御装置２５の搬送作業や組み付け作業の障害となることを防止できる。
【００７３】
さらに、本構成例においては、演出カセットＲＯＭ８０を収納状態に安定的に保てると共に、演出カセットＲＯＭ８０の接続部８１ｂが演出制御装置２９の接続受部２９ｆに接続した接続状態に変換した場合にも、その接続状態を良好に保持できるように、演出カセットＲＯＭ８０の収容体８２の前面壁適所に係止片受け孔８２ｃを開設し、該係止片受け孔８２ｃに対応する部位に係止片２５ｉを設けた。この係止片２５は、演出カセットＲＯＭ８０が収納状態にあるとき、係止突部２５ｉ′がちょうど係止片受け孔８２ｃ内に嵌まり込んだ状態となる。なお、係止片２５ｉは、接続方向（演出カセットＲＯＭ８０の接続２９ｆを演出制御装置２９の接続受部２９ｆへ近づける方向）側の端縁部を自由端に、反接続側を固定端にすると共に、係止突部２５ｉ′は接続方向に向かってなだらかに突出量が増える形状としてある。
【００７４】
そして、演出カセットＲＯＭ８０を接続状態へ変換するために、接続方向へスライドさせると、演出カセットＲＯＭ８０の係止片受け孔８２ｃの開口縁に係止片２５ｉの係止突部２５ｉ′が当接するために、係止片２５ｉが撓んで徐々に係止突部２５ｉ′が係止受け孔８２ｃから押し出されてゆき（図１５（ｂ１），（ｂ２）を参照）、演出カセットＲＯＭ８０の接続２９ｆが演出制御装置２９の接続受部２９ｆに接続して接続状態になると、演出カセットＲＯＭ８０の収容体８２における反接続側の壁部が係止片２５ｉの係止突部２５ｉ′をちょうど乗り越える位置となり、係止片２５ｉが常態に復帰することで、係止突部２５ｉ′の接続側端部が演出カセットＲＯＭ８０における収容体８２の反接続側の壁部に係止され、反接続方向へ戻りスライドすることを防止する（図１５（ｃ１），（ｃ２）を参照）。
【００７５】
一方、演出カセットＲＯＭ８０を収納状態へ戻す場合には、演出カセットＲＯＭ８０における収容体８２の反接続側の壁部に係止された係止突部２５ｉ′を指先等で押し込むことにより、係止片２５ｉによる係止を解除した上で演出カセットＲＯＭ８０を反接続方向へ動かせば良い。
【００７６】
以上本発明を種々の実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【図面の簡単な説明】
【００７７】
【図１】本発明に係る遊技機の正面図である。
【図２】遊技機本体の背面図である。
【図３】排出・発射制御装置と電源装置に共通中継基板を取り付けた状態の斜視図である。
【図４】排出・発射制御装置と電源装置から共通中継基板を取り外した状態の斜視図である。
【図５】共通中継基板および中継基板ホルダの分離状態を示す斜視図である。
【図６】共通中継基板と制御装置との接続状態説明図である。
【図７】共通中継基板を中継基板ホルダへ取り付ける工程の説明図である。
【図８】第２実施形態に係る遊技機における中継基板接続構造の説明図である。
【図９】（ａ）は第３実施形態に係る遊技機における演出カセットＲＯＭの外観斜視図である。（ｂ）は演出カセットＲＯＭと演出制御装置との接続状態説明図である。
【図１０】第１構成例に係る演出カセットＲＯＭを収納状態から接続状態に変換する過程の説明図である。
【図１１】演出カセットＲＯＭが収納状態にあるときの遊技制御装置と演出制御装置の入出力関連を示すブロック図である。
【図１２】演出カセットＲＯＭが接続状態にあるときの遊技制御装置と演出制御装置の入出力関連を示すブロック図である。
【図１３】遊技制御装置と演出制御装置との接続機能を持たせた演出カセットＲＯＭが収納状態にあるときの遊技制御装置と演出制御装置の入出力関連を示すブロック図である。
【図１４】遊技制御装置と演出制御装置との接続機能を持たせた演出カセットＲＯＭが接続状態にあるときの遊技制御装置と演出制御装置の入出力関連を示すブロック図である。
【図１５】第２構成例に係る演出カセットＲＯＭを収納状態から接続状態に変換する過程の説明図である。
【符号の説明】
【００７８】
１    遊技機
６    遊技盤
２５    遊技制御装置
２６    排出・発射制御装置
２６ａ  排出・発射制御基板
２６ｂ  中継基板接続部
２７    電源装置
２７ａ  電源基板
２７ｂ  中継基板接続部
２９    演出制御装置
３０    共通中継基板
３１    第１中継基板接続受部
３２    第２中継基板接続受部
４０    基板ホルダ
４１    回動支持腕部
４１ａ  軸受孔
５０    軸支部
５１    回動軸
【図１】
2006167348.tif 000003
【図２】
2006167348.tif 000004
【図３】
2006167348.tif 000005
【図４】
2006167348.tif 000006
【図５】
2006167348.tif 000007
【図６】
2006167348.tif 000008
【図７】
2006167348.tif 000009
【図８】
2006167348.tif 000010
【図９】
2006167348.tif 000011
【図１１】
2006167348.tif 000012
【図１２】
2006167348.tif 000013
【図１３】
2006167348.tif 000014
【図１４】
2006167348.tif 000015
【図１５】
2006167348.tif 000016
【図１０】
2006167348.tif 000017